【手続補正書】
【提出日】平成27年10月20日(2015.10.20)
【手続補正１】
【補正対象書類名】特許請求の範囲
【補正対象項目名】全文
【補正方法】変更
【補正の内容】
【特許請求の範囲】
【請求項１】
物体側より像側へ順に配置された、正の屈折力の第１レンズ群、負の屈折力の第２レンズ群、正の屈折力の第３レンズ群、負の屈折力の第４レンズ群、正の屈折力の第５レンズ群、負の屈折力の第６レンズ群、正の屈折力の第７レンズ群より構成され、広角端に比べて望遠端において、前記第４レンズ群と前記第５レンズ群の間隔が小さくなり、前記第５レンズ群と前記第６レンズ群の間隔が大きくなり、ズーミングに際して隣り合うレンズ群の間隔が変化するズームレンズであって、フォーカシングに際して前記第４レンズ群が移動することを特徴とするズームレンズ。
【請求項２】
望遠端における全系の焦点距離をｆｔ、望遠端における前記第１レンズ群から前記第３レンズ群までの合成系の焦点距離をｆ１−３ｔとするとき、
｜ｆｔ／ｆ１−３ｔ｜＜０．９
なる条件式を満たすことを特徴とする請求項１に記載のズームレンズ。
【請求項３】
広角端における全系の焦点距離をｆｗ、広角端における前記第１レンズ群から前記第３レンズ群までの合成系の焦点距離をｆ１−３ｗとするとき、
｜ｆｗ／ｆ１−３ｗ｜＜０．６
なる条件式を満たすことを特徴とする請求項１または２に記載のズームレンズ。
【請求項４】
広角端における前記第４レンズ群の横倍率をβ４ｗとするとき、
｜β４ｗ｜＜１．０
なる条件式を満たすことを特徴とする請求項１乃至３のいずれか１項に記載のズームレンズ。
【請求項５】
望遠端における前記第４レンズ群の横倍率をβ４ｔとするとき、
｜β４ｔ｜＜１．０
なる条件式を満たすことを特徴とする請求項１乃至４のいずれか１項に記載のズームレンズ。
【請求項６】
広角端における前記第１レンズ群と前記第２レンズ群の合成系の焦点距離をｆ１−２ｗ、前記第３レンズ群の焦点距離をｆ３とするとき、
０．３＜−ｆ１−２ｗ／ｆ３＜２．０
なる条件式を満たすことを特徴とする請求項１乃至５のいずれか１項に記載のズームレンズ。
【請求項７】
望遠端における前記第１レンズ群と前記第２レンズ群の合成系の焦点距離をｆ１−２ｔ、前記第３レンズ群の焦点距離をｆ３とするとき、
０．３＜−ｆ１−２ｔ／ｆ３＜２．０
なる条件式を満たすことを特徴とする請求項１乃至６のいずれか１項に記載のズームレンズ。
【請求項８】
前記第４レンズ群は２枚以下のレンズで構成されることを特徴とする請求項１乃至７のいずれか１項に記載のズームレンズ。
【請求項９】
望遠端における無限遠物体から至近距離物体へのフォーカシングに際しての前記第４レンズ群の移動量をＭｆｔ、広角端から望遠端へのズーミングにおける前記第４レンズ群の前記第３レンズ群に対する相対移動量をＭｚとするとき、
０．５＜−Ｍｚ／Ｍｆｔ＜１．３
なる条件式を満たすことを特徴とする請求項１乃至８のいずれか１項に記載のズームレンズ。
【請求項１０】
物体側より像側へ順に配置された、正の屈折力の第１レンズ群、負の屈折力の第２レンズ群、正の屈折力の第３レンズ群、負の屈折力の第４レンズ群、正の屈折力の第５レンズ群、負の屈折力の第６レンズ群、正の屈折力の第７レンズ群より構成され、ズーミングに際して、前記第３レンズ群、前記第５レンズ群、前記第７レンズ群が一体で移動し、隣り合うレンズ群の間隔が変化するズームレンズであって、前記第３レンズ群、前記第５レンズ群、前記第７レンズ群の焦点距離を各々ｆ３、ｆ５、ｆ７とするとき、
０．２＜ｆ５／ｆ３＜０．８
０．０２＜ｆ５／ｆ７＜０．３０
なる条件式を満たすことを特徴とするズームレンズ。
【請求項１１】
広角端から望遠端へのズーミングに際して、前記第１レンズ群、前記第３レンズ群ないし前記第７レンズ群は物体側へ移動し、前記第２レンズ群は像側へ凸状の軌跡で移動することを特徴とする請求項１乃至１０のいずれか１項に記載のズームレンズ。
【請求項１２】
広角端に比べて望遠端において、前記第１レンズ群と前記第２レンズ群の間隔が大きくなり、前記第２レンズ群と前記第３レンズ群の間隔が小さくなり、前記第３レンズ群と前記第４レンズ群の間隔が大きくなり、前記第４レンズ群と前記第５レンズ群の間隔が小さくなり、前記第５レンズ群と前記第６レンズ群の間隔が大きくなり、前記第６レンズ群と前記第７レンズ群の間隔が小さくなるように、ズーミングに際して各レンズ群が移動することを特徴とする請求項１乃至１１のいずれか１項に記載のズームレンズ。
【請求項１３】
請求項１乃至１２のいずれか１項に記載のズームレンズと、該ズームレンズにより形成される像を撮像する撮像素子を有することを特徴とする撮像装置。
【手続補正２】
【補正対象書類名】明細書
【補正対象項目名】００２３
【補正方法】変更
【補正の内容】
【００２３】
本発明のズームレンズは、物体側より像側へ順に配置された、正の屈折力の第１レンズ群、負の屈折力の第２レンズ群、正の屈折力の第３レンズ群、負の屈折力の第４レンズ群、正の屈折力の第５レンズ群、負の屈折力の第６レンズ群、正の屈折力の第７レンズ群より構成され、広角端に比べて望遠端において、前記第４レンズ群と前記第５レンズ群の間隔が小さくなり、前記第５レンズ群と前記第６レンズ群の間隔が大きくなり、ズーミングに際して隣り合うレンズ群の間隔が変化するズームレンズであって、フォーカシングに際して前記第４レンズ群が移動することを特徴としている。
【手続補正３】
【補正対象書類名】明細書
【補正対象項目名】００２６
【補正方法】変更
【補正の内容】
【００２６】
以下、本発明のズームレンズ及びそれを有する撮像装置の実施例について説明する。本発明のズームレンズは物体側より像側へ順に配置された、正、負、正、負、正、負、正の屈折力の第１レンズ群乃至第７レンズ群より構成される。広角端に比べて（短焦点距離端）に比べて望遠端（長焦点距離端）において、第４レンズ群と第５レンズ群の間隔が小さくなり、第５レンズ群と第６レンズ群との間隔が大きくなり、ズーミングに際して隣り合うレンズ群の間隔が変化する。フォーカシングに際して第４レンズ群が移動する。
【手続補正４】
【補正対象書類名】明細書
【補正対象項目名】００３５
【補正方法】変更
【補正の内容】
【００３５】
具体的には、広角端に比べて望遠端において、第１レンズ群Ｌ１と第２レンズ群Ｌ２の間隔が大きくなり、第２レンズ群Ｌ２と第３レンズ群Ｌ３の間隔が小さくなり、第３レンズ群Ｌ３と第４レンズ群Ｌ４の間隔が大きくなる。更に第４レンズ群Ｌ４と第５レンズ群Ｌ５の間隔が小さくなり、第５レンズ群Ｌ５と第６レンズ群Ｌ６の間隔が大きくなり、第６レンズ群Ｌ６と第７レンズ群Ｌ７の間隔が小さくなるように、ズーミングに際して各レンズ群が移動する。無限遠物体から至近距離物体へのフォーカシングに際し、矢印Focusの如く第４レンズ群Ｌ４は物体側へ移動する。
【手続補正５】
【補正対象書類名】明細書
【補正対象項目名】００４４
【補正方法】変更
【補正の内容】
【００４４】
そこで本発明のズームレンズでは、物体側より像側へ順に配置された、正、負、正、負、正、負、正の屈折力の第１レンズ群乃至第７レンズ群より構成される７群ズームレンズの第３レンズ群の像側をアフォーカルにしている。そして、小型軽量の第４レンズ群Ｌ４でフォーカシングを行っている。かつ広角端に比べて望遠端において、第４レンズ群Ｌ４と第５レンズ群Ｌ５との間隔が小さくなり、第５レンズ群Ｌ５と第６レンズ群Ｌ６との間隔が大きくなり、ズーミングに際して隣り合うレンズ群の間隔が変化するように各レンズ群を移動している。
【手続補正６】
【補正対象書類名】明細書
【補正対象項目名】００５１
【補正方法】変更
【補正の内容】
【００５１】
各実施例において更に好ましくは次の条件式のうち１以上を満足するのが良い。望遠端における全系の焦点距離をｆｔとする。望遠端における第１レンズ群Ｌ１から第３レンズ群Ｌ３までの合成系の焦点距離をｆ1-3tとする。広角端における全系の焦点距離をｆｗとする。広角端における第１レンズ群Ｌ１から第３レンズ群Ｌ３までの合成系の焦点距離をｆ1-3wとする。広角端における第４レンズ群Ｌ４の横倍率をβ４ｗとする。望遠端における第４レンズ群Ｌ４の横倍率をβ４ｔとする。
【手続補正７】
【補正対象書類名】明細書
【補正対象項目名】００５２
【補正方法】変更
【補正の内容】
【００５２】
広角端における第１レンズ群Ｌ１と第２レンズ群Ｌ２の合成系の焦点距離をｆ1-2wとする。望遠端における第１レンズ群Ｌ１と第２レンズ群Ｌ２の合成系の焦点距離をｆ1-2tとする。望遠端において無限遠物体から至近距離物体へのフォーカシングに際しての第４レンズ群Ｌ４の移動量をＭｆｔ、広角端から望遠端へのズーミングにおける第４レンズ群Ｌ４の第３レンズ群Ｌ３に対する相対移動量をＭｚとする。ここで移動量及び相対移動量の符号は物体側から像側への移動量を正とする。
【手続補正８】
【補正対象書類名】明細書
【補正対象項目名】００５３
【補正方法】変更
【補正の内容】
【００５３】
ズーミングに際して第３レンズ群Ｌ３、第５レンズ群Ｌ５、第７レンズ群Ｌ７が一体で移動し、隣り合うレンズ群の間隔が変化する。第３レンズ群Ｌ３、第５レンズ群Ｌ５、第７レンズ群Ｌ７の焦点距離を各々ｆ３、ｆ５、ｆ７とする。このとき次の条件式のうち１以上を満足するのが良い。
【手続補正９】
【補正対象書類名】明細書
【補正対象項目名】００６３
【補正方法】変更
【補正の内容】
【００６３】
次に、第４レンズ群Ｌ４が、２枚以下のレンズ構成よりなると小型・軽量となるため、迅速なフォーカシングやウォブリング駆動機構が簡易構成で行えるため、好ましい。
【手続補正１０】
【補正対象書類名】明細書
【補正対象項目名】００６４
【補正方法】変更
【補正の内容】
【００６４】
条件式（７）は望遠端における第４レンズ群のフォーカシングに際しての移動量Ｍｆｔと、広角端から望遠端へのズーミングに際しての第４レンズ群Ｌ４の、第３レンズ群Ｌ３に対する相対移動量Ｍｚの比を規定する。条件式を（７）満たすと、小型高性能化に有利である。条件式（７）の上限を逸脱して、望遠端においてフォーカシング駆動量に対して第３レンズ群Ｌ３と第４レンズ群Ｌ４の間隔が大きくなると、全系が大型化してくる。
【手続補正１１】
【補正対象書類名】明細書
【補正対象項目名】００６５
【補正方法】変更
【補正の内容】
【００６５】
条件式（７）の下限を逸脱すると、望遠端においてフォーカシングに際しての移動量に対して、ズーミングに際しての第４レンズ群Ｌ４の移動量が小さくなり、各レンズ群への変倍負担が大きくなる。そうすると、各レンズ群から生じる収差が増大し、高い光学性能を得るのが困難になる。条件式（７）は、より好ましくは下記条件式（７ａ）を満たすと良い。
０．６＜−Ｍｚ／Ｍｆｔ＜１．２    ・・・（７ａ）
【手続補正１２】
【補正対象書類名】明細書
【補正対象項目名】００７２
【補正方法】変更
【補正の内容】
【００７２】
広角端に比べて望遠端において第１レンズ群Ｌ１と第２レンズ群Ｌ２の間隔が大きくなり、第２レンズ群Ｌ２と第３レンズ群Ｌ３の間隔が小さくなり、第３レンズ群Ｌ３と第４レンズ群Ｌ４の間隔が大きくなり、第４レンズ群Ｌ４と第５レンズ群Ｌ５の間隔が小さくなるようにしている。更に第５レンズ群Ｌ５と第６レンズ群Ｌ６の間隔が大きくなり、第６レンズ群Ｌ６と第７レンズ群Ｌ７の間隔が小さくなるようにズーミングに際して各レンズ群が移動している。
【手続補正１３】
【補正対象書類名】明細書
【補正対象項目名】００８０
【補正方法】変更
【補正の内容】
【００８０】
７は感光面であり、ＣＣＤセンサやＣＭＯＳセンサ等のズームレンズによって形成される像を受光する固体撮像素子（光電変換素子）や銀塩フィルムが配置される。撮影時にはクイックリターンミラー３が光路から退避して、感光面７上に撮影レンズ１０によって像が形成される。実施例１乃至３にて説明した利益は、本実施例に開示したような撮像装置において効果的に享受される。また本発明のズームレンズはクイックリターンミラーのない、ミラーレスのカメラにも同様に適用することができる。またプロジェクター用の画像投射光学系に適用することもできる。
【手続補正１４】
【補正対象書類名】明細書
【補正対象項目名】００８３
【補正方法】変更
【補正の内容】
【００８３】
で与えるものとする。各非球面係数において「ｅ−ｘ」は「１０-x」を意味する。また、焦点距離、Ｆナンバー等のスペックに加え、全系の半画角、像高は半画角を決定する最大像高、レンズ全長は第１レンズ面から像面までの距離である。バックフォーカスＢＦは最終レンズ面から像面までの長さを示している。また、各レンズ群データは、各レンズ群の焦点距離、光軸上の長さ、前側主点位置、後側主点位置を表している。